(57)【要約】  本発明は、少なくとも１つの光源を備える、液体用の照明されたボトルクロージャに関し、前記少なくとも１つの光源は、ディスペンサの操作時に所定の期間スイッチオンされ、放出される液体および／またはディスペンサ内に貯蔵された液体を照明する。本発明はさらに、少なくとも１つの光源を備える、液体用のボトルクロージャを照明するための方法に関し、ここでは、ディスペンサの操作時に生成される機械的エネルギーが、エネルギージェネレータによって電気的エネルギーに変換され、前記電気的エネルギーが、前記少なくとも１つの光源に、該光源を作動させるために供給される。本発明はまた、少なくとも１つの光源とバッテリとを備える中空体のための照明されたボトルクロージャに関し、前記少なくとも１つの光源は、スイッチの操作時に所定の期間スイッチオンされ、前記中空体内に貯蔵された液体を照明する。
2010532736.tif 000002
【特許請求の範囲】
【請求項１】
少なくとも１つの光源（５，６）を備える中空体のための、ディスペンサ機能を備える照明されたボトルクロージャ（２０）において、
前記少なくとも１つの光源（５，６）は、ディスペンサ（１）の操作時に所定の期間スイッチオンされ、放出される液体（３）および／またはディスペンサ（１０）内に貯蔵された液体（３）を照明する、
ことを特徴とする照明されたボトルクロージャ（２０）。
【請求項２】
放出される液体（３）がスプレーされ、前記少なくとも１つの光源（５，６）がそのスプレーミストを照明する、
ことを特徴とする請求項１記載の照明されたボトルクロージャ（２０）。
【請求項３】
放出される液体（３）が注ぎ口シュノーケルによって流出し、前記少なくとも１つの光源（５，６）がその流出する液体を照明する、
ことを特徴とする請求項１記載の照明されたボトルクロージャ（２０）。
【請求項４】
前記ボトルクロージャ（２０）は、エネルギージェネレータ（２）を含み、
該エネルギージェネレータは、ディスペンサヘッド（１）の操作時における機械的エネルギーを、前記少なくとも１つの光源（５，６）を作動させるための電気的エネルギーに変換する、
ことを特徴とする請求項１または２記載の照明されたボトルクロージャ（２０）。
【請求項５】
前記ディスペンサ（１０）は、エネルギー源としてバッテリまたは蓄電池（７）を含む、
ことを特徴とする請求項１または２記載の照明されたボトルクロージャ（２０）。
【請求項６】
前記ディスペンサ（１０）はさらに、電気的な中間蓄積器（７）を含む、
ことを特徴とする請求項３記載の液体（３）のための照明されたボトルクロージャ（２０）。
【請求項７】
前記中間蓄積器（７）は、蓄電池または二重層コンデンサである、
ことを特徴とする請求項５記載の照明されたボトルクロージャ（２０）。
【請求項８】
前記ディスペンサ（１０）はさらに、前記少なくとも１つの光源（５，６）のための駆動回路（９）を含む、
ことを特徴とする請求項１〜７のいずれか一項記載の照明されたボトルクロージャ（２０）。
【請求項９】
前記光源（５，６）によって放出される光の色調は、動作中に変化する、
ことを特徴とする請求項１〜８のいずれか一項記載の照明されたボトルクロージャ（２０）。
【請求項１０】
前記光源（５，６）によって放出される光の色調は、持続的に変化する、
ことを特徴とする請求項９記載の照明されたボトルクロージャ（２０）。
【請求項１１】
前記光源（５，６）によって放出される光の色調は、急峻に変化する、
ことを特徴とする請求項９記載の照明されたボトルクロージャ（２０）。
【請求項１２】
前記色調の変化は、周期的に実行される、
ことを特徴とする請求項１〜１１のいずれか一項記載の照明されたボトルクロージャ（２０）。
【請求項１３】
前記光源（５，６）は、一定の色調の光を放出する、
ことを特徴とする請求項１〜１２のいずれか一項記載の照明されたボトルクロージャ（２０）。
【請求項１４】
前記少なくとも１つの光源（５，６）は、ＬＥＤである、
ことを特徴とする請求項１〜１３のいずれか一項記載の照明されたボトルクロージャ（２０）。
【請求項１５】
前記少なくとも１つの光源（５，６）は、ＯＬＥＤである、
ことを特徴とする請求項１〜１４のいずれか一項記載の照明されたボトルクロージャ（２０）。
【請求項１６】
請求項１〜１０によるボトルクロージャ（２０）を備えるディスペンサ（１０）。
【請求項１７】
少なくとも１つの光源（５，６）とバッテリ（７）とを備える中空体のための照明されたボトルクロージャ（２０）において、
前記少なくとも１つの光源（５，６）は、スイッチ（１）の操作時に所定の期間スイッチオンされ、前記中空体内に貯蔵された液体（３）を照明する、
ことを特徴とする中空体のための照明されたボトルクロージャ（２０）。
【請求項１８】
請求項８〜１５のうちの一項以上に記載された特徴を有する、請求項１７記載の中空体のための照明されたボトルクロージャ（２０）。
【請求項１９】
少なくとも１つの光源（５，６）を備える中空体のための、ディスペンサ機能を備えるボトルクロージャ（２０）を照明するための方法において、
・ディスペンサ（１０）の操作時に生成される機械的エネルギーが、エネルギージェネレータ（２）によって電気的エネルギーに変換され、
・前記電気的エネルギーが、前記少なくとも１つの光源（５，６）に、該光源を作動させるために供給される、
ことを特徴とするボトルクロージャ（２０）を照明するための方法。
【請求項２０】
前記エネルギージェネレータ（２）によって供給されたエネルギーが、駆動回路（９）によって変換され、前記少なくとも１つの光源（５，６）に印加される、
ことを特徴とする請求項１３記載のボトルクロージャ（２０）を照明するための方法。
【請求項２１】
前記エネルギージェネレータ（２）によって供給されたエネルギーが、直接または駆動回路（９）によって前記少なくとも１つの光源（５，６）に供給される前に、中間蓄積器（７）に蓄積される、
ことを特徴とする請求項１３または１４記載のボトルクロージャ（２０）を照明するための方法。
【発明の詳細な説明】
【技術分野】
【０００１】
本発明は、例えば香水、ボディローションまたは液体石鹸のような家庭で使用される液体用の、照明されたディスペンサに関する。ディスペンサは、有利には、該ディスペンサから放出される液体を照明する。本発明は有利には、スプレーディスペンサ、すなわち例えば香水ビンにおいて通常使用されるような、内容物をボタンの押圧によってスプレーするディスペンサに関する。この場合有利には放出されるスプレーミストが照明され、これにより、人が非常に快適だと感じる光効果が与えられることとなる。
【背景技術】
【０００２】
ＵＳ５６８３１６８Ａから、組み込まれたスプレーディスペンサを備える懐中電灯が公知である。しかしながらこの懐中電灯およびスプレーディスペンサは、別個に操作しなければならず、スプレーミストもディスペンサの内容物も照明することはできない。ＵＳ５８６８８４０Ａは、組み込まれたレーザによって表面を塗装するためのスプレーガンを開示している。このレーザは塗装すべき表面を照明し、種々異なる光センサおよび最適な処理ユニットによって、塗装すべき表面の品質状態に関する情報を通知する。ＤＥ２０２００４０１３７５５Ｕ１からは、ＬＥＤ照明を備える香水ビンが公知であり、ここではＬＥＤが内部または外部に配置されており、バッテリによって給電される。これらの刊行物のいずれも、使用時に例えばスプレーミストや、注ぎ出された液体または押し出された液体を照明してはいない。照明されたボトルクロージャも、これらの刊行物のいずれによっても容易に想到することはできない。
【発明の概要】
【発明が解決しようとする課題】
【０００３】
したがって本発明の課題は、使用時に液体を照明し、ひいては快適な光効果を生じさせる、照明されたディスペンサを提供することである。この課題は、請求項１記載の特徴を備えたディスペンサによって解決される。
【０００４】
さらなる課題は、ボトル内にある液体を照射または照明することができる、照明されたボトルクロージャを提供することである。この課題は、請求項１７の特徴部分に記載されている構成によって解決される。
【０００５】
さらに本発明の課題は、ディスペンサの使用時に確実に照明が機能することを保証する、ディスペンサを照明する方法を提供することである。この課題は、請求項１９の特徴部分に記載されている方法によって解決される。
【０００６】
本発明は、主に香水、スキンローションまたは液体石鹸のような肌の手入れ用液体製品のパッケージのために考案されている。しかし本発明は、例えばスプレー剤、液体洗濯洗剤、またはあらゆる種類の液体洗剤のような掃除用製品のパッケージのためにも使用することができる。相応の照明の色調によって、例えば企業カラーなど所定のブランド特徴を強調することができる。本発明は、ディスペンサヘッドの押圧時にエネルギーパルスを生成する装置を含み、このエネルギーパルスは、ディスペンサヘッドにおける光源を所定の時間動作させかつ液体を照明するために充分な大きさを有する。スプレーミスト、ないしディスペンサから放出される液体、ならびにディスペンサ内にある液体もまた、照明することができる。エネルギーパルスは、ディスペンサヘッドを押圧する際の機械的エネルギーを電気エネルギーに変換する装置によって生成される。択一的に、エネルギー蓄積器をディスペンサ内に設けることも可能である。
【０００７】
本発明の別の実施形態は、有利には、例えば炭酸飲料ボトル、ミネラルウォータボトル、ビール瓶、ワインボトルのような商業用ドリンクボトルのクロージャのために考案されている。しかしキャニスタなどのような別の任意の中空体も照明することも可能である。クロージャは、ここでは密封するために通常の方法によってボトルに固定される。押しボタンスイッチ、タンブラスイッチ、回転スイッチ等によって、ボトル内容物の照明を行うことができる。有利にはこの際ボトル内容物が照明されるが、しかしまた、ボトルに彫刻された文字を照明することも可能である。多色のバリエーションの場合、回路機構により、放射色を調節することもできる。しかしまた、放射される色が自動的に変化することも考えられる。このことは持続的または急峻に実行することができる。色は周期的またはランダムに変化させることができる。このような色動作は、もちろんディスペンサヘッドのためにも使用することができる。
【図面の簡単な説明】
【０００８】
【図１】図１は、本発明のディスペンサの概略構造図である。
【図２】図２は、本発明のボトルクロージャの第１実施形態の概略構造図である。
【図３】図３は、本発明のボトルクロージャの第２実施形態の概略構造図である。
【図４】図４は、本発明のボトルクロージャの第３実施形態の概略構造図である。
【図５】図５は、本発明のボトルクロージャの第４実施形態の概略構造図である。
【図６】図６ａ，ｂは、注ぎ口を備える本発明のボトルクロージャの第５実施例の概略構造図である。
【０００９】
発明の有利な実施形態
ディスペンサの実施形態
図１は、本発明のディスペンサ１０の概略構造図を示す。ディスペンサ１０は、有利にはエネルギージェネレータ２を含み、該エネルギージェネレータは、ディスペンサヘッド１の押圧時に生じる機械的エネルギーから、エネルギーパルスの形態の電気的エネルギーを生成する。エネルギージェネレータ２は、ピエゾ圧電ジェネレータ、電気力学的ジェネレータ、熱電気的ジェネレータ、または静電ジェネレータとすることができる。液体の放出開口部の近くには光源５が設けられている。ディスペンサ１０のヘッドには、付加的または択一的に、ディスペンサ１０内の液体を照明する光源６も設けられている。しかしまた、単独の１つ光源をディスペンサヘッドの内部に設けることもでき、プラズマまたは別の光学系によって光を２つの集束光ビームに分割し、これらの光ビームがスプレーミストおよびディスペンサの内容物を照明する。光源は、有利にはＬＥＤまたはＯＬＥＤである。エネルギージェネレータ２は、有利には、光源を直接作動できるように設計されている。しかし択一的に、光源を作動させるための駆動回路９を設けることもできる。この駆動回路９は、エネルギージェネレータ２によって供給されるエネルギーを、半導体光源に適した電流に変換する。この際、エネルギー中間蓄積器７、例えば蓄電池または電気二重層コンデンサ（例えばゴールドキャパシタまたはウルトラキャパシタ等）を設けることができる。有利には、エネルギージェネレータ２は、ディスペンサヘッド２を１回押圧した際に半導体光源を約１秒間照明させるために充分なエネルギーが生成されるように寸法設計されている。半導体光源は、有色に発光するＲＧＢＬＥＤまたはＯＬＥＤとすることもできる。有色の実施形態においては、色を、照明中に急峻に変化させることも持続的に変化させることもできる。変化は、周期的またはランダムに行うことができる。
【００１０】
しかしまた、エネルギー供給のために、エネルギージェネレータ２を設けずに、その代わりにバッテリまたは蓄電池７だけを設けることも考えられる。このことは、とりわけ内容物を使用し切った後に再充填されない使い捨てディスペンサのために、コスト的に有利な解決方法である。その際押しボタン１は、押圧時にスイッチングコンタクトまたはタイマスイッチを接続するのみである。この実施形態において駆動回路９を設けることもでき、この駆動回路９は、蓄電池またはバッテリの電圧／電流水準を、半導体光源に必要な水準に変換し、および／または、半導体光源のスイッチオン時間を制御する。
【００１１】
ボトルクロージャの実施形態
第１実施形態
ボトルクロージャは、一般的に使用される様々なボトルまたは他の中空体の上に密封および照明するために汎用に被せることができるという点のみにおいて、ディスペンサと相違している。ボトルクロージャの場合は、エネルギージェネレータは無意味であることが多い。なぜなら使用時に適切な機械的動作が行われないからである。したがってエネルギー供給のために、従来通りのバッテリが設けられている。第１実施形態においては、クロージャ全体が被包されており、したがってバッテリは交換することができない。したがってこのクロージャは、一度だけ使用可能な、つまり使い捨てのボトル用クロージャとして考案されている。図２は、その構造を示す。クロージャは、ネジ式クロージャとして構成されている。下側部分は、本来のネジ式クロージャから構成されており、このネジ式クロージャは、封止部として透明な材料を有するか、または図２に示すように、光が通過可能な透明な材料からなる窓２３を備えた不透明な材料からなる封止部を有する。上側部分にはＬＥＤ６が設けられており、このＬＥＤ６はバッテリ７によって給電され、押しボタンスイッチ１によってオンオフされる。バッテリ７は、ここではボタン型電池として構成されている。ＬＥＤは、図２に示すように集束ビーム２５によってボトル内容物を照明する。しかしまた、択一的もしくは付加的に、上方を照明するＬＥＤを設けることもできる。
【００１２】
ボトルクロージャは、ＬＥＤが、押しボタンスイッチ１の押圧時にオンまたはオフされるように、もしくは所定の時間スパンの間だけスイッチオンされるように構成することができる。さらにＬＥＤは、有色のＲＧＢまたはＲＧＧＢ−ＬＥＤとして構成することもできる。その際前記スイッチは、該スイッチによって放射されるＬＥＤの色も調節することができるように構成されている。しかしまた、色を調節するための別の調整手段、例えばアコースティックな、またはボディアコースティックな、または付加的に設けられた機械的装置も考えられる。
【００１３】
押しボタンスイッチをボトルクロージャの上に設けるのではなく、封止部３３の領域に設けることも考えられる。ここでスイッチは、ボトルを固くねじって閉めることによって作動され、ＬＥＤは所定の期間スイッチオンされる。ＬＥＤは、予め決められたやり方で間欠的に光を放つこともでき、もしくは所定の周期パターンによってオンオフすることもできる。別の実施形態は、クロージャをねじ回して開閉することによってトリガされる回転スイッチにある。この回転スイッチは、ねじ回して開閉している間に、ＬＥＤの色が持続的に変化されるよう構成することもできる。
【００１４】
第２実施形態
図３に示された第２実施形態は第１実施形態と類似しているので、第１実施形態との相違点のみ説明する。この実施形態もネジ式クロージャに関するが、バッテリとしてボタン型電池は使用されず、直列接続された２つの筒状電池が使用される。このクロージャは、バッテリが大きいのでより長く使用することができ、かつ再び使用することができる。したがって、バッテリを交換することが見込まれている。バッテリを含むクロージャの上側部分は、差込システム３１によって下側のネジ部分と接続されている。その他に関しては第１実施形態と同じ構造であり、したがって第１実施形態の全ての手段とバリエーションがこの実施形態においても実現可能である。
【００１５】
第３実施形態
第３実施形態は第２実施形態と類似しているので、第２実施形態との相違点のみ説明する。第３実施形態は、ボトルまたは中空体に嵌め差し込むことができるクロージャであり、このクロージャは、ボトルを密封封止できるようにするために、ゴムまたはシリコンのような柔らかくてフレキシブルな材料から製造されている。図４から見て取れるように、クロージャの円錐体はその内部に放射相称のシリンダ形の切欠部２５を有し、この切欠部２５の上側端部にはＬＥＤ６が設けられており、このＬＥＤ６は光を、前記切欠部２５を通り抜けて集束ビーム２５を伴って下方へボトルの中へと放射する。ＬＥＤ６を保護するために、切欠部２５の下側端部には窓２３が設けられており、この窓２３は切欠部２５の空間をボトルの内部空間から気密に封止している。
【００１６】
このバリエーションにおいては、オンオフするための押しボタンスイッチ１を、クロージャの円錐体内に設けることも考えられる。クロージャをボトルの上に嵌め差し込む際に生じる圧力によって、スイッチを操作することができる。
【００１７】
このバリエーションに関しても、バッテリ交換を可能にする差込システムが設けられている。ボタン形電池を備える図４の実施形態は、ここでもその構造形態に基づき有利である。押しボタンスイッチ１は、円錐体の上に被せられたヘッド部分３３によって操作することができ、このヘッド部分は同時に、バッテリ交換のためのグリップとしても使用することができる。ヘッド部分３３は、球またはシリンダ等とすることができる。しかし押しボタンスイッチ１を、図４に示すようにヘッド部分３３に嵌め込み、ヘッド部分がバッテリ収容部と確実に接続されるようにすることもできる。
【００１８】
第４実施形態
第４実施形態は、図５に示されている。この実施形態は王冠として構成されており、この王冠は平坦な載着部分を有し、該載着部分が王冠の透かし部分を通してボトルを照明する。封止部はここでは透明な材料から構成されており、ＬＥＤおよび前記載着部分はボトル内容物に対して密封されている。王冠は非常に平坦な形状をしているので、ここでは非常に平坦なボタン形電池が使用される。ＬＥＤは、平坦かつ薄いスイッチによってオンオフされる。有利にはここで薄膜スイッチが使用される。ボタン形電池は必ずしも大きな容量を有してはいないので、この装置全体は使い捨て商品として考案されている。ＬＥＤについては、有利には非常に平坦なＬＥＤが使用されており、有利にはバッテリ底部の上に直接設けられている。
【００１９】
第５実施形態
第５実施形態は、ボトル注ぎ口として構成されている。ボトル注ぎ口は、例えばバーやディスコなどのような光が殆ど存在しない場所において使用されることが多い。バーテンダーは、暗い周囲環境において正しいボトルを見つけることがしばしば困難であり、また流れ出る液体放射を良好に視認できないので、ボトル内容物を適正量に計ることも困難である。このような場合には、照明されたボトル注ぎ口が格段の負担軽減に役立つであろう。バーにおいては通常、全てのことが非常に迅速に進行しなければならないので、ＬＥＤのオンオフのために、自動的なポジションスイッチが設けられる。ボトルが立っている場合にはＬＥＤはスイッチオフされており、ボトルを少なくとも９０℃傾けるとＬＥＤがスイッチオンされる。図６ａは、本発明のボトル注ぎ口の第１バリエーションを示す。ＬＥＤ６は、流れ出る液体放射を照明するために、注ぎ口シュノーケルの方向に発光する。バッテリ７とＬＥＤ６との間には、ポジションに依存するスイッチ１１が設けられており、このスイッチ１１は、ボトルが立っている場合にはスイッチオフされており、ボトルがほぼ水平のポジションになるとスイッチオンされる。
【００２０】
図６ｂは別の構成を示しており、ここでは光は液体に直接結合され、いわゆる照明された液体としてボトルから放出される。
【００２１】
ボトルを暗闇においてより良好に発見することができるように、ポジション依存式のスイッチを切換スイッチとして構成することも可能である。ボトルが立っている場合に、このボトルへと向けられたＬＥＤがスイッチオンされており、このＬＥＤがボトルとボトル内容物を照明する。使用する際には、注ぐための光に切り換えられる。色選択を備える有色のＲＧＢ  ＬＥＤまたはＲＧＧＢ  ＬＥＤによれば、その光の色に基づいて正しいボトルを迅速に識別することが可能である。
【図１】
2010532736.tif 000003
【図２】
2010532736.tif 000004
【図３】
2010532736.tif 000005
【図４】
2010532736.tif 000006
【図５】
2010532736.tif 000007
【図６ａ】
2010532736.tif 000008
【図６ｂ】
2010532736.tif 000009
【国際調査報告】
2010532736.tif 000010
2010532736.tif 000011
2010532736.tif 000012
2010532736.tif 000013
2010532736.tif 000014
2010532736.tif 000015